(57)【要約】【課題】グランドの土に対するグリップ力が前後いずれの面においても、前後面が平坦な突起板によって得られるグリップ力よりも大きい野球用のスパイククリーツを提供する。【解決手段】突起板１の平面視形状を波形に形成し、突起板１をグランドの土に貫入させた状態で、突起板１を板面に対して直交する方向に移動させようとしたときに、板面の抵抗力が、平坦な面の抵抗力よりも大きい凹面部分Ａ１、Ａ２、Ａ３を突起板１の前後の面１ａ、１ｂに設けた。【選択図】　図３
2004081511.tif 000002
【特許請求の範囲】
【請求項１】
靴底に装着される突起板を有する野球用スパイククリーツにおいて、上記突起板をグランドの土に貫入させた状態で、突起板を板面に対して直交する方向に移動させる力が働いた際における板面の抵抗力が、平坦な面の抵抗力よりも大きい凹面部分を突起板の前後の面にそれぞれ少なくとも一つ以上形成し、凹面部分によって生じる抵抗力と、凹面部分を除く部分によって生じる抵抗力の合計が、全体を平坦な面で形成した突起板によって生じる抵抗力よりも大きいことを特徴とする野球用スパイククリーツ。
【請求項２】
上記突起板の平面視形状を波形に形成して、突起板の後面に２個の凹面部分と、前面中央に１個の凹面部分を設けたことを特徴とする請求項１記載の野球用スパイククリーツ。
【請求項３】
上記突起板が金属製である請求項１又は２記載の野球用スパイククリーツ。
【請求項４】
上記突起板がセラミック製又は樹脂製である請求項１又は２記載の野球用スパイククリーツ。
【発明の詳細な説明】
【０００１】
【発明の属する技術分野】
この発明は、グランドの土に対して、前後のいずれの方向にも大きなグリップ力を得ることができる野球用のスパイククリーツに関するものである。
【０００２】
【従来の技術】
野球用のスパイククリーツは、野球の運動動作に応じて、グランドの土を的確にグリップすることができるように靴底の所定個所に装着されている。
【０００３】
野球用のスパイククリーツは、靴底から直角に突出する突起板を有し、グランドの土を踏み込んだときに、突起板が土に貫入して、土に対する抵抗力、即ちグリップ力を得るようにしている。
【０００４】
この突起板のグランドの土に対するグリップ力は、突起板がグランドの土に貫入した状態で、突起板を前後に移動させようとする力が働いたときに、突起板の進行方向の面に対して加わる抵抗力である。
【０００５】
例えば、図５に示すように、靴底１０のつま先に装着される金属製スパイククリーツにおいては、グランドの土を後方に蹴って前方に走り出す場合、突起板１１がグランドの土に貫入した状態で、後方に向かって移動しようとする力が働くので、突起板１１の後面１１ａにグランドの土による抵抗力が働く。
【０００６】
反対に、走ってきて止まろうとする場合には、突起板１１がグランドの土に貫入した状態で、前方に向かって移動しようとする力が働くので、突起板１１の前面１１ｂにグランドの土による抵抗力が働く。
【０００７】
この突起板１１の土による抵抗力は、突起板１１の形状に関係する。
図５に示すように、平面視形状が直線で、土の抵抗を受ける面が平坦な突起板１１を基準にした場合、図６に示すように、平面視形状がＶ字形状をした前面１１ｂが尖った突起板１１や、図７に示すように、平面視形状が円弧状をした前面１１ｂが円弧面の突起板１１の場合には、突起板１１が前方側へ移動しようとするとき、例えば、走ってきて止まろうとしたときには、突起板１１の前面１１ｂの抵抗力は、土が左右に逃げ易いため、その値は小さく、図５の平坦な突起板１１よりもグリップ力が小さい。
【０００８】
反対に、図６のＶ字形の突起板１１や図７の円弧状の突起板１１が後方側へ移動しようとするとき、例えば、土を蹴って走り出すときには、後面１１ａの凹面部分により、土が左右に逃げ難く、土が凹面部分の中心に集まるため、突起板１１の後面１１ａの抵抗力は、その値が図５の平坦な突起板１１よりも大きくなり、大きなグリップ力が得られる。
【０００９】
従来、野球用の金属製スパイククリーツの突起板１１には、上記のように、図５に示す平面視形状が直線状のもの、図６に示す平面視形状がＶ字形状のもの、あるいは図７に示す平面視形状が円弧状をしたものなどがある。
【００１０】
【発明が解決しようとする課題】
図６に示す平面視形状がＶ字形状をした突起板１１や、図７に示す平面視形状が円弧状をした突起板１１は、一方の面、図６や図７のつま先の例では、後方へ蹴り出す場合に、後面１１ａに加わる抵抗力が大きいので、図５に示す平坦な突起板１１よりも大きなグリップ力が得られるものの、反対に、走ってきて止まるような場合には、前面１１ｂに加わる抵抗力が、図５に示す平坦な突起板１１よりも小さいので、グリップ力が図５に示す直線形状の平坦な突起板１１よりも弱くなってしまうという問題がある。
【００１１】
そこで、この発明は、グランドの土に対するグリップ力が前後いずれの面においても、前後面が平坦な突起板によって得られるグリップ力よりも大きい野球用のスパイククリーツを提供しようとするものである。
【００１２】
【課題を解決するための手段】
上記の課題を解決するために、この発明は、靴底に装着される突起板を有する野球用スパイククリーツにおいて、上記突起板をグランドの土に貫入させた状態で、突起板を板面に対して直交する方向に移動させる力が働いた際における板面の抵抗力が、平坦な面の抵抗力よりも大きい凹面部分を突起板の前後の面にそれぞれ少なくとも一つ以上形成し、凹面部分によって生じる抵抗力と、凹面部分を除く部分によって生じる抵抗力の合計を、全体が平坦な面で形成された突起板によって生じる抵抗力よりも大きくしたものである。
【００１３】
その好ましい形態としては、上記突起板の平面視形状を波形に形成して、突起板の後面に２個の凹面部分と、前面中央に１個の凹面部分を設けたものがある。
【００１４】
上記突起板の材質としては、金属、セラミック、樹脂等が使用できるが、強度、加工性などの点で金属が好ましい。
【００１５】
また、この発明に係る野球用スパイククリーツは、つま先に限らず、例えば、図２の靴底２の前足部に配置された野球用スパイクシューズにおける伝統的な金属製クリーツ配置、通称、三角金具（１、３ａ、３ｂ）に使用する等、選手の特徴や、打者用、守備用などに応じて靴底の位置や配置を適宜選択して使用することができる。
【００１６】
【発明の実施の形態】
以下、この発明に係る野球用スパイククリーツを靴底２のつま先に設置した好ましい実施形態について説明する。
【００１７】
この野球用スパイククリーツは、図１〜図３に示すように、突起板１の平面視形状が波形で、突起板１の後面１ａに２個の凹面部分Ａ１、Ａ２と、前面１ｂの中央に１個の凹面部分Ａ３を設けている。
【００１８】
この例では、突起板１の後面１ａに２個の凹面部分Ａ１、Ａ２を有するので、後方へ蹴り出す場合に、２個の凹面部分Ａ１、Ａ２に土が集まって左右に逃げないので、２個の凹面部分Ａ１、Ａ２で大きな抵抗力が発生し、図５に示す平坦な突起板１１よりも大きなグリップ力が得られる。
【００１９】
また、反対に、走ってきて止まるような場合にも、前面１ｂの中央の凹面部分Ａ３に土が集まるため、前面１ｂ中央の凹面部分Ａ３の左右に、後方側に曲がった側方部分Ａ４、Ａ５で土が逃げても、凹面部分Ａ３によって大きな抵抗力が得られるため、凹面部分Ａ３と側方部分Ａ４、Ａ５とを合わせた抵抗力は、図５に示す平坦な突起板１１よりも大きなグリップ力が得られる。
【００２０】
この発明において、土に対して大きな抵抗力を生む凹面部分の形状は、図１〜図３の実施形態に示すような円弧面に限られず、図４に示すような、Ｖ字面の組合せでも良いが、凹面部分の設計に当たっては、凹面部分を除く部分の土の逃げを考慮し、凹面部分によって生じる抵抗力と、凹面部分を除く部分の抵抗力との合計が、図５に示す平坦な突起板１１よりも大きな抵抗力が得られるように設計する必要がある。
【００２１】
上記突起板１の材質としては、鋼、ステンレス等の金属、セラミック、熱可塑性ポリイミド樹脂、熱硬化型または非熱可塑性イミド樹脂、ウレタン等の合成樹脂のいずれでもよいが、鋼製の場合、耐久性と加工性を考慮すると、厚みは１．５ｍｍ〜２ｍｍ、波形形状の天地（図３、図４の符号ｈ）は、２ｍｍ〜５ｍｍ、セラミックや樹脂の場合は、耐久性と機能性を考慮すると、厚みは、２ｍｍ〜５ｍｍが好ましい。
【００２２】
また、突起板１は、鋼とセラミックの場合、投影幅１３ｍｍ〜１７ｍｍ程度、高さ１２ｍｍ〜１６ｍｍ程度が、樹脂の場合は、投影幅１３ｍｍ〜３０ｍｍ程度、高さ１２ｍｍ〜１６ｍｍ程度が、野球の運動動作を考慮すると好ましい。
【００２３】
【発明の効果】
以上のように、この発明に係る野球用スパイククリーツは、前後いずれの面においても、前後面が平坦な突起板よりもグランドの土に対するグリップ力が大きいので、野球の運動動作を的確にサポートする野球用スパイクシューズの設計が可能になる。
【図面の簡単な説明】
【図１】この発明に係る野球用スパイククリーツの一例をつま先部分に装着したスパイクシューズの側面図である。
【図２】図１の底面図である。
【図３】図１のつま先部分の底面図ある。
【図４】この発明に係る野球用スパイククリーツの他の例をつま先部分に装着したスパイクシューズのつま先部分の底面図である。
【図５】平坦な直線形状をした従来の野球用スパイククリーツをつま先部分に装着したスパイクシューズのつま先部分の底面図である。
【図６】Ｖ字形状をした従来の野球用スパイククリーツをつま先部分に装着したスパイクシューズのつま先部分の底面図である。
【図７】円弧形状をした従来の野球用スパイククリーツをつま先部分に装着したスパイクシューズのつま先部分の底面図である。
【符号の説明】
１　突起板
１ａ　後面
１ｂ　前面
２　靴底
Ａ１、Ａ２、Ａ３　凹面部分
【図１】
2004081511.tif 000003
【図２】
2004081511.tif 000004
【図３】
2004081511.tif 000005
【図４】
2004081511.tif 000006
【図５】
2004081511.tif 000007
【図６】
2004081511.tif 000008
【図７】
2004081511.tif 000009